(57)【要約】      （修正有）【課題】換気性能を良好なものとしながら開口枠に対する障子の開度を十分に大きいものとすることができる建具を提供する。【解決手段】開口枠に対して開閉移動する障子とを備えた建具において、障子は、開口枠により形成される開口を閉塞する閉塞位置とこれより開口枠の見込み方向に沿って変位した換気位置との間で開口枠の見込み方向に沿って開閉移動するとともに、換気位置とこれより躯体の表面に沿って変位した開放位置との間で躯体の表面に沿って開閉移動するものであり、開口枠を構成する右縦枠は、開口縁部に取り付けられて開口を形成する固定枠部と、障子に連係部材３０を介して連係され、かつ障子が閉塞位置と換気位置との間で開閉移動する場合には固定枠部に対向配置して障子の開閉移動を許容する一方、障子が換気位置と開放位置との間で開閉移動する場合には障子とともに開閉移動する可動枠部１４ｂとを備えている。【選択図】図８
2015113624.tif 000002
【特許請求の範囲】
【請求項１】
躯体の開口縁部に枠部材が配設されることにより構成される開口枠と、
前記開口枠に対して開閉移動する障子と
を備えた建具において、
前記障子は、前記開口枠により形成される開口を閉塞する閉塞位置と該閉塞位置より前記開口枠の見込み方向に沿って変位した換気位置との間で前記開口枠の見込み方向に沿って開閉移動するとともに、前記換気位置と該換気位置より前記躯体の表面に沿って変位した開放位置との間で前記躯体の表面に沿って開閉移動するものであり、
前記開口枠を構成する一の枠部材は、
前記開口縁部に取り付けられて前記開口を形成する固定枠部と、
前記障子に連係部材を介して連係され、かつ前記障子が前記閉塞位置と前記換気位置との間で開閉移動する場合には前記固定枠部に対向配置して該障子の開閉移動を許容する一方、前記障子が前記換気位置と前記開放位置との間で開閉移動する場合には該障子とともに開閉移動する可動枠部と
を備えたことを特徴とする建具。
【請求項２】
前記枠部材は、見込み面に換気口が形成されており、
前記障子は、前記閉塞位置に位置する場合には前記開口と前記換気口とが連通することを規制する一方、前記換気位置に位置する場合には該開口と前記換気口とが連通することを許容することを特徴とする請求項１に記載の建具。
【請求項３】
前記可動枠部は、見込み面に前記換気口が形成されていることを特徴とする請求項２に記載の建具。
【請求項４】
前記閉塞位置と前記換気位置との間で前記障子が開閉移動することを案内する第１レール部と、
前記換気位置と前記開放位置との間で前記障子が開閉移動することを案内する第２レール部と
を備え、
前記可動枠部は、前記第２レール部に進入する被案内部材が取り付けられ、かつ該被案内部材が前記第２レール部の延在方向に沿って案内されることで開閉移動することを特徴とする請求項１〜３のいずれか１つに記載の建具。
【請求項５】
前記連係部材は、
一端部が前記障子に回動自在に配設されたアームと、
前記可動枠部に配設され、かつ前記アームの他端部に形成された係合突起が進入して自身の延在方向に沿って移動することを許容する係合溝を有するアーム受けと
を備えたことを特徴とする請求項１〜４のいずれか１つに記載の建具。
【発明の詳細な説明】
【技術分野】
【０００１】
本発明は、建具に関し、より詳細には、例えば平行突き出し窓のように障子全体を開口枠の見込み方向に開閉移動させる建具に関するものである。
【背景技術】
【０００２】
例えば平行突き出し窓のような建具の従来技術としては、例えば特許文献１に記載のものが提供されている。この建具は、開口枠と障子との間にリンク部材を備えている。リンク部材は、開口枠の上枠部材と障子の上框部材との間、並びに開口枠の下枠部材と下框部材との間をそれぞれ連結する左右のリンクアームを備えている。これらリンクアームは、一端が回動軸連結され、他端がスライド連結されている。
【０００３】
このような建具においては、すべてのリンクアームを開口枠の見込み方向に沿って回動させることで開口枠に対して障子を平行に突き出すよう開移動させることが可能であるとともに、障子が開口枠を閉じた状態にある場合に左右一方のリンクアームを開口枠の見込み方向に沿って回動させることで開口枠に対して障子の左右一方を開移動させることが可能である。そして、かかる構成を採用する結果、風の向きに応じて障子を開移動させることで換気性能を向上させることができる。
【先行技術文献】
【特許文献】
【０００４】
【特許文献１】特開２０１２−１３６９２６号公報
【発明の概要】
【発明が解決しようとする課題】
【０００５】
ところが、上述した特許文献１に提案されているような建具では、左右のリンクアームの回動を調整することにより障子を開口枠に対して開移動させているので、障子の左右一方を開移動させる場合にも開口枠に対する障子の開度が十分に大きなものとはならなかった。
【０００６】
本発明は、上記実情に鑑みて、換気性能を良好なものとしながら開口枠に対する障子の開度を十分に大きいものとすることができる建具を提供することを目的とする。
【課題を解決するための手段】
【０００７】
上記目的を達成するために、本発明に係る建具は、躯体の開口縁部に枠部材が配設されることにより構成される開口枠と、前記開口枠に対して開閉移動する障子とを備えた建具において、前記障子は、前記開口枠により形成される開口を閉塞する閉塞位置と該閉塞位置より前記開口枠の見込み方向に沿って変位した換気位置との間で前記開口枠の見込み方向に沿って開閉移動するとともに、前記換気位置と該換気位置より前記躯体の表面に沿って変位した開放位置との間で前記躯体の表面に沿って開閉移動するものであり、前記開口枠を構成する一の枠部材は、前記開口縁部に取り付けられて前記開口を形成する固定枠部と、前記障子に連係部材を介して連係され、かつ前記障子が前記閉塞位置と前記換気位置との間で開閉移動する場合には前記固定枠部に対向配置して該障子の開閉移動を許容する一方、前記障子が前記換気位置と前記開放位置との間で開閉移動する場合には該障子とともに開閉移動する可動枠部とを備えたことを特徴とする。
【０００８】
この発明によれば、開口枠の一の枠部材を構成し、かつ障子に連係部材を介して連係される可動枠部が、障子が閉塞位置と換気位置との間を開閉移動する場合には固定枠部に対向配置して障子が開閉移動することを許容する一方、障子が換気位置と開放位置との間で開閉移動する場合には、障子とともに開閉移動するので、障子を開口枠から離脱させた位置に向けて移動させることもでき、開口枠に対する障子の開度を十分に大きくすることができる。しかも障子が換気位置に位置して開口枠の開口を開放する場合には、例えば四方向で換気を行うことができて換気性能を良好なものとすることができる。
【０００９】
また本発明は、上記建具において、前記枠部材は、見込み面に換気口が形成されており、前記障子は、前記閉塞位置に位置する場合には前記開口と前記換気口とが連通することを規制する一方、前記換気位置に位置する場合には該開口と前記換気口とが連通することを許容することを特徴とする。
【００１０】
この発明によれば、障子が、閉塞位置に位置する場合には開口と換気口とが連通することを規制する一方、換気位置に位置する場合には開口と換気口とが連通することを許容するので、障子が換気位置に位置するときには換気口を通過する空気が開口を通過することができるとともに開口を通過する空気が換気口を通過することができる。これにより、例えば四方向で換気を行うことができて換気性能を良好なものとすることができる。また、換気口が開口枠を構成する各枠部材に形成されているので、障子の見込み方向の寸法を大きくする必要がなく、従来用いられている障子と見込み方向の寸法が同程度のものを用いることができる。これにより、障子全体の重量が過大なものとなる虞れがなく、障子を良好に開閉移動させることができる。
【００１１】
また本発明は、上記建具において、前記可動枠部は、見込み面に前記換気口が形成されていることを特徴とする。
【００１２】
この発明によっても、障子が、閉塞位置に位置する場合には開口と換気口とが連通することを規制する一方、換気位置に位置する場合には開口と換気口とが連通することを許容するので、障子が換気位置に位置するときには換気口を通過する空気が開口を通過することができるとともに開口を通過する空気が換気口を通過することができる。これにより、例えば四方向で換気を行うことができて換気性能を良好なものとすることができる。また、換気口が開口枠を構成する各枠部材に形成されているので、障子の見込み方向の寸法を大きくする必要がなく、従来用いられている障子と見込み方向の寸法が同程度のものを用いることができる。これにより、障子全体の重量が過大なものとなる虞れがなく、障子を良好に開閉移動させることができる。
【００１３】
また本発明は、上記建具において、前記閉塞位置と前記換気位置との間で前記障子が開閉移動することを案内する第１レール部と、前記換気位置と前記開放位置との間で前記障子が開閉移動することを案内する第２レール部とを備え、前記可動枠部は、前記第２レール部に進入する被案内部材が取り付けられ、かつ該被案内部材が前記第２レール部の延在方向に沿って案内されることで開閉移動することを特徴とする。
【００１４】
この発明によれば、可動枠部は、自身に取り付けられた被案内部材が換気位置と開放位置との間で障子が開閉移動することを案内する第２レール部の延在方向に沿って案内されることで開閉移動するので、第２レール部の延在方向に沿って安定的に移動することができる。
【００１５】
また本発明は、上記建具において、前記連係部材は、一端部が前記障子に回動自在に配設されたアームと、前記可動枠部に配設され、かつ前記アームの他端部に形成された係合突起が進入して自身の延在方向に沿って移動することを許容する係合溝を有するアーム受けとを備えたことを特徴とする。
【００１６】
この発明によれば、障子に回動自在に配設されたアームの他端部に形成された係合突起がアーム受けの係合溝を該係合溝の延在方向に沿って移動することで障子と可動枠部との互いの見込み方向の距離を可変させることができる。
【発明の効果】
【００１７】
本発明によれば、換気性能を良好なものとしながら開口枠に対する障子の開度を十分に大きいものとすることができるという効果を奏する。
【図面の簡単な説明】
【００１８】
【図１】図１は、本発明の実施の形態である建具を室内側から見た場合を示す正面図である。
【図２】図２は、本発明の実施の形態である建具を室外側から見た場合を示す背面図である。
【図３】図３は、図１のＡ−Ａ線断面図である。
【図４】図４は、図１のＢ−Ｂ線断面図である。
【図５】図５は、図１の横断面図である。
【図６】図６は、図３及び図４に示した上枠及び上側延設枠を下方から見た場合を示す下面図である。
【図７】図７は、図３及び図４に示した下枠及び下側延設枠を上方から見た場合を示す平面図である。
【図８】図８は、図５のＣ−Ｃ線断面図である。
【図９】図９は、障子が閉塞位置に位置する状態を模式的に示す斜視図である。
【図１０】図１０は、障子が換気位置に位置する状態を模式的に示す斜視図である。
【図１１】図１１は、障子が換気位置に位置する場合の建具の縦断面図である。
【図１２】図１２は、障子が換気位置に位置する場合の建具の横断面図である。
【図１３】図１３は、障子が換気位置から開放位置に向けて移動する状態を示す建具の横断面図である。
【図１４】図１４は、障子が開放位置に位置する状態を模式的に示す斜視図である。
【発明を実施するための形態】
【００１９】
以下に添付図面を参照して、本発明に係る建具の好適な実施の形態について詳細に説明する。
【００２０】
図１は、本発明の実施の形態である建具を室内側から見た場合を示す正面図であり、図２は、本発明の実施の形態である建具を室外側から見た場合を示す背面図である。図３は、図１のＡ−Ａ線断面図であり、図４は、図１のＢ−Ｂ線断面図であり、図５は、図１の横断面図である。ここで例示する建具は、開口枠１０と障子２０とを備えて構成されている。
【００２１】
開口枠１０は、上枠１１、下枠１２及び左右一対の縦枠１３，１４の各枠部材を四周枠組みすることによって構成されるもので、これら枠部材が躯体１の開口縁部２に配設されることにより矩形状の開口１０ａを形成している。
【００２２】
上枠１１は、例えばアルミニウム等の金属製の押し出し材により構成されるもので、室外側端部１１１が躯体１から室外側に張り出すように配設されている。より詳細に説明すると、上枠１１は、室内側端部１１２が躯体１にビス等を介して取り付けられるとともに、室外側端部１１１が躯体１の外表面に設けられた取付支持部材１１３にボルト等を介して取り付けられることで、室外側端部１１１が躯体１から室外側に張り出すように配設されている。尚、取付支持部材１１３は、左右方向が長手方向となる長尺状のものである。
【００２３】
このような上枠１１の室外側端部１１１における見込み面には、該上枠１１の長手方向に沿って所定間隔で並ぶよう複数の矩形状の換気口１１１ａが形成されている。これら換気口１１１ａは、該見込み面を上下に貫通しており、図示せぬ防虫網で覆われている。
【００２４】
また上枠１１には、図６に示すように、左側上枠レール１１４及び右側上枠レール１１５が形成されている。左側上枠レール１１４は、上枠１１の見込み面に開放するよう形成されるもので、上枠１１の左端部において見込み方向に沿って延在する第１左側上枠レール部１１４ａと、この第１左側上枠レール部１１４ａの室外端部に連続して右側に向けて上枠１１の長手方向に沿って延在する第２左側上枠レール部１１４ｂとを有している。
【００２５】
右側上枠レール１１５は、上枠１１の見込み面に開放するよう形成されるもので、上枠１１の右端部において見込み方向に沿って延在する第１右側上枠レール部１１５ａと、この第１右側上枠レール部１１５ａの室外端部に連続して右側に向けて上枠１１の長手方向に沿って延在する第２右側上枠レール部１１５ｂとを有している。この右側上枠レール１１５は、左側上枠レール１１４とは連通していない。
【００２６】
このような上枠１１の右側には、上側延設枠１５が配設されている。上側延設枠１５は、例えばアルミニウム等の金属製の押し出し材により構成されるもので、上枠１１の右端部に連続するよう上記取付支持部材１１３にボルト等を介して取り付けられることで躯体１の外表面に配設されている。
【００２７】
この上側延設枠１５には、図６に示すように、上側延設レール１５１が形成されている。上側延設レール１５１は、上側延設枠１５の見込み面に開放するよう形成されるもので、上側延設枠１５の長手方向に沿って延在している。この上側延設レール１５１の左端部は、上記右側上枠レール１１５の第２右側上枠レール部１１５ｂの右端部に連通している。この上側延設レール１５１のレール幅は、左側上枠レール１１４及び右側上枠レール１１５のレール幅と同等の大きさを有している。
【００２８】
上記上枠１１及び上側延設枠１５の上方域の躯体１の外表面には、カバー部材１６が配設されている。カバー部材１６は、左右方向が長手方向となる長尺状のものであり、カバー基体１６１と室外側カバー１６２とを備えて構成されている。
【００２９】
カバー基体１６１は、基部１６１ａと下延部１６１ｂとを有している。基部１６１ａは、平板状部位であり、その基端部がビス等の取付部材を介して躯体１の外表面に取り付けられている。下延部１６１ｂは、基部１６１ａの先端部より室外側に向けて漸次下方に傾斜するよう延在した後に下方に向けて延在する部位である。このカバー基体１６１の上面、すなわち基部１６１ａの上面には下延部１６１ｂの上方域を覆う庇１６１ｃが取り付けられている。
【００３０】
室外側カバー１６２は、上端部がカバー基体１６１の下延部１６１ｂにビス等を介して取り付けられており、上枠１１及び上側延設枠１５の室外側領域を覆うものである。この室外側カバー１６２の下端部には、室内側に向けて突出するようモヘア１６２ａが取り付けられている。
【００３１】
上記取付支持部材１１３において、上枠１１における換気口１１１ａが形成された領域の上方側に相当する部分には、取付支持部材１１３の長手方向に沿って所定間隔で並ぶよう複数の換気口１１３ａが形成されている。これら換気口１１３ａは、換気口１１１ａと同様に図示せぬ防虫網で覆われている。
【００３２】
また、上記カバー部材１６において、上枠１１に対応するカバー基体１６１の下延部１６１ｂには、カバー基体１６１の長手方向に沿って所定間隔で並ぶよう複数の換気口１６３が形成されている。これら換気口１６３は、換気口１１１ａと同様に図示せぬ防虫網で覆われている。
【００３３】
下枠１２は、例えばアルミニウム等の金属製の押し出し材により構成されるもので、室外側端部１２１が躯体１から室外側に張り出すように配設されている。より詳細に説明すると、下枠１２は、室内側端部１２２が躯体１にビス等を介して取り付けられるとともに、室外側端部１２１が躯体１の室外側に設けられた載置面１７にビス等を介して取り付けられることで、室外側端部１２１が躯体１から室外側に張り出すように配設されている。
【００３４】
このような下枠１２の室外側端部１２１には、換気口１２１ａ，１２１ｂが形成されている。換気口１２１ａは、下枠１２の室外側端部１２１における上部の見込み面において、該下枠１２の長手方向に沿って所定間隔で並ぶよう形成されている。この換気口１２１ａは、該見込み面を上下に貫通しており、図示せぬ防虫網で覆われている。
【００３５】
換気口１２１ｂは、下枠１２の室外側端部１２１における下部の見込み面において、該下枠１２の長手方向に沿って所定間隔で並ぶよう形成されている。この換気口１２１ｂは、該見込み面を上下に貫通しており、図示せぬ防虫網で覆われている。
【００３６】
また下枠１２には、図７に示すように、第１下枠レール１２３、第２下枠レール１２４及び第３下枠レール１２５が形成されている。第１下枠レール１２３は、下枠１２の見込み面に開放するよう形成されるもので、下枠１２の左端部において見込み方向に沿って延在するものである。第２下枠レール１２４は、下枠１２の見込み面に開放するよう形成されるもので、下枠１２の右端部において見込み方向に沿って延在するものである。第３下枠レール１２５は、下枠１２の見込み面に開放するよう形成されるもので、下枠１２の長手方向に沿って延在するものである。この第３下枠レール１２５は、第１下枠レール１２３及び第２下枠レール１２４に連通している。
【００３７】
このような下枠１２の右側には、下側延設枠１８が配設されている。下側延設枠１８は、例えばアルミニウム等の金属製の押し出し材により構成されるもので、下枠１２の右端部に連続するよう、上記載置面１７に配設されている。
【００３８】
この下側延設枠１８には、図７に示すように、下側延設レール１８１が形成されている。下側延設レール１８１は、下側延設枠１８の見込み面に開放するよう形成されるもので、下側延設枠１８の長手方向に沿って延在している。この下側延設レール１８１の左端部は、上記第３下枠レール１２５の右端部に連通している。この下側延設レール１８１のレール幅は、第１下枠レール１２３、第２下枠レール１２４及び第３下枠レール１２５のレール幅と同等の大きさを有している。
【００３９】
左側の縦枠（以下、左縦枠ともいう）１３は、例えばアルミニウム等の金属製の押し出し材により構成されるもので、室外側端部１３１が躯体１から室外側に張り出すように配設されている。より詳細には、左縦枠１３は、室内側端部１３２が躯体１にビス等を介して取り付けられるとともに、室外側端部１３１が躯体１の外表面にビス等を介して取り付けられることで、室外側端部１３１が躯体１から室外側に張り出すように配設されている。
【００４０】
このような左縦枠１３の室外側端部１３１には、換気口１３１ａ，１３１ｂ，１３１ｃが形成されている。換気口１３１ａは、左縦枠１３の室外側端部１３１における右側の見込み面において、該左縦枠１３の長手方向に沿って所定間隔で並ぶよう形成されている。この換気口１３１ａは、該見込み面を左右に貫通しており、図示せぬ防虫網で覆われている。
【００４１】
換気口１３１ｂは、左縦枠１３の室外側端部１３１における左側の見込み面において、該左縦枠１３の長手方向に沿って所定間隔で並ぶよう形成されている。この換気口１３１ｂは、該見込み面を左右に貫通しており、図示せぬ防虫網で覆われている。
【００４２】
換気口１３１ｃは、左縦枠１３の室外側端部１３１における室外側の見付け面において、該左縦枠１３の長手方向に沿って所定間隔で並ぶよう形成されている。この換気口１３１ｃは、該見付け面を見込み方向に沿って貫通しており、図示せぬ防虫網で覆われている。
【００４３】
また、左縦枠１３の室外側端部１３１には、規制板１３３が設けられている。規制板１３３は、換気口１３１ｂと換気口１３１ｃとの間の部分から室内側に向かうに連れて漸次右側に傾斜するよう配設されている。この規制板１３３は、換気口１３１ｃから進入した空気が換気口１３１ｂに短絡的に通過すること、あるいは換気口１３１ｂから進入した空気が換気口１３１ｃに短絡的に通過することを規制するものである。
【００４４】
更に、左縦枠１３の室外側端部１３１における室外側の見付け面の右端部には、室内側に向けて突出するようモヘア１３４が取り付けられている。
【００４５】
右側の縦枠（以下、右縦枠ともいう）１４は、例えばアルミニウム等の金属製の押し出し材により構成されるもので、固定枠部１４ａと可動枠部１４ｂとを備えて構成されている。
【００４６】
固定枠部１４ａは、躯体１にビス等を介して取り付けられることで、室外側端部１３１が躯体１から僅かに室外側に張り出すように配設されている。この固定枠部１４ａの室外側端部には、室外側に向けて突出するようモヘア１４１が配設されている。可動枠部１４ｂの構成については後述する。
【００４７】
障子２０は、上框２１、下框２２及び左右一対の縦框２３，２４の框部材を四周框組みし、更にこれらの框部材の間にガラス板等の面材２５を支持させて構成されたものである。このような障子２０を構成する上框２１には、左右一対の上部戸車２１１が配設されている。上部戸車２１１は、上框２１より上方に突出するロッド状部材に挿通されて該ロッド状部材の中心軸回りに回転可能に設けられている。この上部戸車２１１は、上下に二つ設けられており、それぞれ最大幅が左側上枠レール１１４及び右側上枠レール１１５のレール幅よりも大きいものである。すなわち上部戸車２１１は、それぞれ最大幅が左側上枠レール１１４が上枠１１の見込み面に開放する最小幅、並びに右側上枠レール１１５が上枠１１の見込み面に開放する最小幅よりも大きいものである。
【００４８】
下框２２には、左右一対の下部摺動子２２１が配設されている。下部摺動子２２１は、下框２２より下方に突出するロッド状部材に挿通されるよう設けられている。
【００４９】
この下框２２には、下側当接部材２２２が設けられている。この下側当接部材２２２は、下方に向けて突出するよう設けられており、詳細は後述するが、載置面１７に配設された室外側床１７ａに当接可能なものである。
【００５０】
このような障子２０は、一方の上部戸車２１１が左側上枠レール１１４の第１左側上枠レール部１１４ａに室内側から進入するとともに、他方の上部戸車２１１が右側上枠レール１１５の第１右側上枠レール部１１５ａに室内側から進入し、更に一方の下部摺動子２２１が第１下枠レール１２３に室内側から進入するとともに、他方の下部摺動子２２１が第２下枠レール１２４に室内側から進入することで、各上部戸車２１１の一部が左側上枠レール１１４及び右側上枠レール１１５のレール面に載置されることで吊り下げられた状態となる。尚、図には明示していないが、上部戸車２１１のうち上方側のものが第１左側上枠レール部１１４ａ及び第１右側上枠レール部１１５ａのそれぞれにおいて例えば左側に形成されたレール面に載置され、かつ下方側のものが第１左側上枠レール部１１４ａ及び第１右側上枠レール部１１５ａのそれぞれにおいて例えば右方側に形成されたレール面に載置されている。
【００５１】
図８は、図５のＣ−Ｃ線断面図である。この図８を図１〜７と合わせて適宜利用しながら上記右縦枠１４を構成する可動枠部１４ｂについて説明する。
【００５２】
可動枠部１４ｂは、上下方向が長手方向となる長尺状のものであり、その上面及び下面に上部戸車１４２ａ及び下部摺動子１４２ｂがそれぞれ配設されている。上部戸車１４２ａは、上面より上方に突出するロッド状部材に挿通されて該ロッド状部材の中心軸回りに回転可能に設けられている。この上部戸車１４２ａは、上下に二つ設けられており、それぞれの最大幅が右側上枠レール１１５や上側延設レール１５１のレール幅よりも大きいものである。下部摺動子１４２ｂは、下面より下方に突出するロッド状部材に挿通されるよう設けられており、最大幅が第３下枠レール１２５や下側延設レール１８１のレール幅よりも大きいものである。すなわち上部戸車１４２ａは、最大幅が右側上枠レール１１５が上枠１１の見込み面に開放する最小幅、並びに上側延設レール１５１が上側延設枠１５の見込み面に開放する最小幅よりも大きいものである。
【００５３】
このような可動枠部１４ｂは、上部戸車１４２ａが上側延設レール１５１に進入するとともに、下部摺動子２２１が下側延設レール１８１に進入することで、上部戸車１４２ａが上側延設レール１５１のレール面に載置されて吊り下げられた状態となる。より詳細には、図８から明らかなように、上部戸車１４２ａのうち上方側のものが上側延設レール１５１の室内側に形成されたレール面に載置され、下方側のものが上側延設レール１５１の室外側に形成されたレール面に載置されている。
【００５４】
また、可動枠部１４ｂは、複数（図示の例では２つ）の連係部材３０を介して障子２０に連係されている。これら連係部材３０は、同様の構成を有しており、上下にそれぞれ設けられている。かかる連係部材３０は、アーム３１とアーム受け３２とを備えて構成されている。
【００５５】
アーム３１は、長尺状の部材であり、その一端部が障子２０の右側の縦框（以下、右縦框ともいう）２４の右側の見込み面に回動自在に配設されている。このアーム３１の他端部には右側に向けて突出する係合突起３１ａが形成されている。
【００５６】
アーム受け３２は、可動枠部１４ｂの左側の見込み面におけるアーム３１より下方域に配設されている。このアーム受け３２は、上下方向が長手方向となる長尺状のものであり、上下方向に沿って延在する係合溝３２ａが形成されている。係合溝３２ａは、下方が開放されており、下方より進入したアーム３１の係合突起３１ａが上下方向に移動することを許容している。尚、アーム受け３２の下方の開放は、係合突起３１ａが進入された後に閉塞部材３３により適宜閉塞されている。
【００５７】
このような連係部材３０により障子２０と連係される可動枠部１４ｂは、障子２０との互いの左右方向の距離が一定に保持されており、障子２０との互いの見込み方向の距離を可変させることができる。
【００５８】
更に、可動枠部１４ｂには、換気口１４３ａ，１４３ｂ，１４３ｃが形成されている。換気口１４３ａは、左側の見込み面のアーム受け３２より室内側の領域に、該可動枠部１４ｂの長手方向に沿って所定間隔で並ぶよう形成されている。この換気口１４３ａは、該見込み面を左右に貫通しており、図示せぬ防虫網で覆われている。
【００５９】
換気口１４３ｂは、右側の見込み面において、該可動枠部１４ｂの長手方向に沿って所定間隔で並ぶよう形成されている。この換気口１４３ｂは、該見込み面を左右に貫通しており、防虫網で覆われている。
【００６０】
換気口１４３ｃは、可動枠部１４ｂの室外側の見付け面において、該可動枠部１４ｂの長手方向に沿って所定間隔で並ぶよう形成されている。この換気口１４３ｃは、該見付け面を見込み方向に沿って貫通しており、図示せぬ防虫網で覆われている。
【００６１】
上記可動枠部１４ｂの上面及び下面にはモヘア１４４ａ，１４４ｂが配設されている。これにより可動枠部１４ｂは、上側延設枠１５及び下側延設枠１８にモヘア１４４ａ，１４４ｂを介して接することが可能である。また、可動枠部１４ｂの室外側端部には、左側に向けて突出するようモヘア１４４ｃが配設されている。
【００６２】
以上のような構成を有する建具においては、障子２０の各上部戸車２１１が第１左側上枠レール部１１４ａ及び第１右側上枠レール部１１５ａを室内側に向けて転動するとともに障子２０の各下部摺動子２２１が第１下枠レール１２３及び第２下枠レール１２４を室内側に向けて摺動することで、障子２０が、図９に示すように閉塞位置に位置する。このように障子２０が閉塞位置に位置すると、図１〜図３及び図５に示すように開口枠１０の開口１０ａを閉塞する。この場合において、障子２０を構成する各框部材２１等の室内側の見付け面は、開口枠１０を構成する各枠部材１１等に適宜取り付けられた当接部材１９に当接している。
【００６３】
障子２０が閉塞位置に位置して開口枠１０の開口１０ａを閉塞する場合、右縦枠１４を構成する可動枠部１４ｂは、該右縦枠１４を構成する固定枠部１４ａの室外側に位置している。尚、このように可動枠部１４ｂが固定枠部１４ａの室外側に位置していることでモヘア１４１が可動枠部１４ｂの室内側端部に接触している（図５参照）。
【００６４】
このように障子２０が閉塞位置に位置することにより開口枠１０の開口１０ａを閉塞すると、障子２０の室外側に各枠部材１１等に設けられた換気口１１１ａ等が位置することとなる。そのため、各換気口１１１ａ等と開口１０ａとが連通することが規制される。
【００６５】
閉塞位置に位置する障子２０の図示せぬハンドルが操作されることで障子２０が閉塞位置に保持される状態が解除されて室外側に向けて押圧されると、各上部戸車２１１が第１左側上枠レール部１１４ａ及び第１右側上枠レール部１１５ａを室外側に向けて転動するとともに各下部摺動子２２１が第１下枠レール１２３及び第２下枠レール１２４を室外側に向けて摺動することで、障子２０が室外側に向けて開移動する。すなわち障子２０は、開口枠１０の見込み方向に沿って室外側に向けて平行に開移動する。
【００６６】
そして、上部戸車２１１が第２左側上枠レール部１１４ｂとの連通部位及び第２右側上枠レール部１１５ｂとの連通部位まで転動するとともに、下部摺動子２２１が第３下枠レール１２５との連通部位まで摺動することで、障子２０は、図１０に示すように換気位置に位置する。
【００６７】
図１１は、障子２０が換気位置に位置する場合の建具の縦断面図であり、図１２は、障子２０が換気位置に位置する場合の建具の横断面図である。
【００６８】
これら図１１及び図１２に示すように、障子２０が換気位置に位置する場合には、上框２１の室外側の見付け面がモヘア１６２ａに接触し、左縦框２３の室外側の見付け面がモヘア１３４に接触し、右縦框２４の右側の見込み面がモヘア１４４ｃに接触する。また、障子２０が換気位置に位置する場合にも、可動枠部１４ｂは固定枠部１４ａの室外側に位置し続け、障子２０が閉塞位置に位置する場合と変わらずにモヘア１４４ａが上側延設枠１５に接触し、モヘア１４４ｂが下側延設枠１８に接触している。また、下框２２の下側当接部材２２２が載置面１７に配設された室外側床１７ａに当接している。
【００６９】
このようにモヘア１６２ａが上框２１の室外側の見付け面に接触し、モヘア１３４が左縦框２３の室外側の見付け面に接触し、モヘア１４４ｃが右縦框２４の右側の見込み面に接触し、下側当接部材２２２が室外側床１７ａに当接することで、障子２０と開口枠１０との隙間が各モヘア１６２ａ等や下側当接部材２２２により塞ぐことができる。更に、モヘア１４４ａが上側延設枠１５に接触してモヘア１４４ｂが下側延設枠１８に接触していることで、換気位置に位置する障子２０の室内側に防虫空間を形成することができる。
【００７０】
そして、障子２０が換気位置に位置することで、各換気口１１１ａ等が障子２０の室内側に位置することとなり、各換気口１１１ａ等と開口１０ａとが連通する。より詳細に説明すると次のようになる。
【００７１】
上方側では、換気口１１１ａ、換気口１１３ａ及び換気口１６３と開口１０ａとが連通して、これら換気口１１１ａ等及び開口１０ａを介して躯体１の内部と外部との間で空気が通過することになる。下方側では、換気口１２１ａ，１２１ｂと開口１０ａとが連通して、これら換気口１２１ａ等及び開口１０ａを介して躯体１の内部と外部との間で空気が通過することになる。
【００７２】
左側では、換気口１３１ａ、換気口１３１ｂ及び換気口１３１ｃと開口１０ａとが連通して、これら換気口１３１ａ等及び開口１０ａを介して躯体１の内部と外部との間で空気が通過することになる。この場合に、左縦枠１３の室外側端部１３１には規制板１３３が設けられているので、換気口１３１ｃから進入した空気が換気口１３１ｂに短絡的に通過すること、あるいは換気口１３１ｂから進入した空気が換気口１３１ｃに短絡的に通過することが規制される。
【００７３】
右側では、換気口１４３ａ，１４３ｂ，１４３ｃと開口１０ａとが連通して、これら換気口１４３ａ等及び開口１０ａを介して躯体１の内部と外部との間で空気が通過することになる。
【００７４】
このように障子２０が換気位置に位置することで、四方向で換気を行うことができる。尚、このように障子２０が換気位置に位置する場合、図１１に示すように、上部戸車２１１のうち上方側のものが第２左側上枠レール部１１４ｂ及び第２右側上枠レール部１１５ｂのそれぞれにおいて例えば室内側に形成されたレール面に載置され、かつ下方側のものが第２左側上枠レール部１１４ｂ及び第２右側上枠レール部１１５ｂのそれぞれにおいて例えば室外側に形成されたレール面に載置されている。
【００７５】
換気位置に位置する障子２０が右側に向けて押圧されると、一方の上部戸車２１１が第２左側上枠レール部１１４ｂを右側に向けて転動し、他方の上部戸車２１１が第２右側上枠レール部１１５ｂを転動した後に上側延設レール１５１を右側に向けて転動し、更に各下部摺動子２２１が第３下枠レール１２５を摺動した後に下側延設レール１８１を右側に向けて摺動することで、障子２０は、図１３に示すように右側に向けて開移動する。
【００７６】
障子２０が換気位置から右側に向けて開移動する場合に、該障子２０に連係部材３０を介して連係される可動枠部１４ｂも、上部戸車１４２ａが上側延設レール１５１を右側に向けて転動し、下部摺動子１４２ｂが下側延設レール１８１を右側に向けて摺動することで障子２０の開移動に伴って一体的に開移動する。
【００７７】
そして、一方の上部戸車２１１が第２左側上枠レール部１１４ｂの右端部に当接することで、障子２０及び可動枠部１４ｂの右側に向けての開移動が規制され、障子２０は、図１４に示すように開放位置に位置する。これにより、開口枠１０に対する障子２０の開度を十分に確保することができ、開口枠１０の開口１０ａを通じて人が出入りすることもできる。
【００７８】
ところで、開放位置に位置する障子２０を閉移動させて開口１０ａを閉塞させるには、次のような手順で行えばよい。
【００７９】
開放位置に位置する障子２０が左側に向けて押圧されると、一方の上部戸車２１１が第２左側上枠レール部１１４ｂを左側に向けて転動し、他方の上部戸車２１１が上側延設レール１５１を転動した後に第２右側上枠レール部１１５ｂを左側に向けて転動し、更に各下部摺動子２２１が下側延設レール１８１を摺動した後に第３下枠レール１２５を左側に向けて摺動することで、障子２０は、左側に向けて閉移動する。
【００８０】
障子２０が開放位置から左側に向けて閉移動する場合に、該障子２０に連係部材３０を介して連係される可動枠部１４ｂも、上部戸車１４２ａが上側延設レール１５１を左側に向けて転動し、下部摺動子１４２ｂが下側延設レール１８１を左側に向けて摺動することで障子２０の閉移動に伴って一体的に閉移動する。
【００８１】
そして、一方の上部戸車２１１が第２左側上枠レール部１１４ｂの左端部に当接することで、障子２０及び可動枠部１４ｂの左側に向けての閉移動が規制され、障子２０は、換気位置に位置する（図１０参照）。障子２０が換気位置に位置する場合は、上述したように四方向で換気を行うことができる。
【００８２】
換気位置に位置する障子２０が室内側に向けて押圧されると、各上部戸車２１１が第１左側上枠レール部１１４ａ及び第１右側上枠レール部１１５ａを室内側に向けて転動するとともに各下部摺動子２２１が第１下枠レール１２３及び第２下枠レール１２４を室内側に向けて摺動することで、障子２０が室内側に向けて閉移動する。すなわち障子２０は、開口枠１０の見込み方向に沿って室内側に向けて平行に閉移動する。その後に障子２０は、各框部材２１等の室内側の見付け面が当接部材１９に当接して閉塞位置に達することで開口枠１０の開口１０ａを閉塞し、ハンドルが操作されることにより閉塞位置に保持される（図９参照）。
【００８３】
障子２０が換気位置から閉塞位置に向けて閉移動する場合に、該障子２０に連係部材３０を介して連係される可動枠部１４ｂは、固定枠部１４ａの室外側に位置し、障子２０のみが閉移動することを許容する。このように可動枠部１４ｂは、障子２０が閉塞位置と換気位置との間で開閉移動する場合には固定枠部１４ａに対向配置して障子２０が開閉移動することを許容する一方、障子２０が換気位置と開放位置との間で開閉移動する場合には、障子２０とともに開閉移動するものである。
【００８４】
以上のような構成を有する建具においては、左側上枠レール１１４の第１左側上枠レール部１１４ａ、右側上枠レール１１５の第１右側上枠レール部１１５ａ、第１下枠レール１２３及び第２下枠レール１２４が、開口枠１０の開口１０ａを閉塞する閉塞位置と、該閉塞位置より開口枠１０の見込み方向に沿って変位した換気位置との間で障子２０が開口枠１０の見込み方向に沿って開閉移動することを案内する第１レール部を構成している。また、左側上枠レール１１４の第２左側上枠レール部１１４ｂ、右側上枠レール１１５の第２右側上枠レール部１１５ｂ、第３下枠レール１２５、上側延設レール１５１及び下側延設レール１８１が換気位置と開放位置との間で障子２０が躯体１の表面に沿って開閉移動することを案内する第２レール部を構成している。
【００８５】
また、上記建具において、障子２０は、閉塞位置に位置する場合には、障子２０を構成する各框部材２１等の室内側の見付け面が当接部材１９に当接される一方、換気位置に位置する場合には、上框２１の室外側の見付け面がモヘア１６２ａに接触し、かつ左縦框２３の室外側の見付け面がモヘア１３４に接触することから、閉塞位置と換気位置との間は、開口枠１０を構成する各枠部材１１等の見込み方向の寸法内で開閉移動している。
【００８６】
更に、上記建具においては、障子２０の上部戸車２１１及び下部摺動子２２１が、第１レール部及び第２レール部に進入し、これらレール部の延在方向に沿って案内される被案内部材を構成している。
【００８７】
また更に、上記建具においては、可動枠部１４ｂの上部戸車１４２ａ及び下部摺動子１４２ｂが、第２レール部に進入し、この第２レール部の延在方向に沿って案内される被案内部材を構成している。
【００８８】
そして、本発明の実施の形態である建具によれば、障子２０が、閉塞位置に位置して開口枠１０の開口１０ａを閉塞する場合には、換気口１１１ａ等と開口１０ａとが連通することを規制する一方、換気位置に位置して上記開口１０ａを開放する場合には、換気口１１１ａ等と開口１０ａとが連通することを許容するので、例えば四方向で換気を行うことができて換気性能を良好なものとすることができる。また、換気口１１１ａ等が開口枠１０を構成する各枠部材１１等に形成されているので、障子２０を構成する各框部材２１等の見込み方向の寸法を大きくする必要がなく、従来用いられている障子と見込み方向の寸法が同程度のものを用いることができる。これにより、障子２０全体の重量が過大なものとなる虞れがない。よって、換気性能を良好なものとしながら、障子２０を良好に開閉移動させることができる。
【００８９】
上記建具によれば、開口枠１０を構成する各枠部材１１等は、一部が躯体１の外部に張り出すよう開口縁部２に配設され、かつ躯体１より外部に張り出す部分の見込み面に換気口１１１ａ等が形成されており、障子２０が各枠部材１１等の見込み方向の寸法内で開閉移動するので、各枠部材１１等の外部にシャッタや格子等の種々の部材を設けることができる。
【００９０】
上記建具によれば、開口枠１０の右縦枠１４を構成し、かつ障子２０に連係部材３０を介して連係される可動枠部１４ｂが、障子２０が閉塞位置と換気位置との間を開閉移動する場合には固定枠部１４ａの室外側に対向配置して障子２０が開閉移動することを許容する一方、障子２０が換気位置と開放位置との間で開閉移動する場合には、障子２０とともに開閉移動するので、障子２０を開口枠１０の室外側から離脱させた位置に向けて移動させることもでき、開口枠１０に対する障子２０の開度を十分に大きくすることができる。しかも障子２０が換気位置に位置する場合には、換気口１１１ａ等と開口１０ａとが連通することを許容するので、例えば四方向で換気を行うことができて換気性能を良好なものとすることができる。よって、換気性能を良好なものとしながら開口枠１０に対する障子２０の開度を十分に大きいものとすることができる。
【００９１】
上記建具によれば、換気口１１１ａ等は防虫網で覆われているので、防虫性能を良好なものとすることができる。
【００９２】
以上、本発明の好適な実施の形態について説明したが、本発明これに限定されるものではなく、種々の変更を行うことができる。
【００９３】
上述した実施の形態では、障子２０を閉塞位置と換気位置との間で開閉移動させるととともに、換気位置と開放位置との間で躯体１の外表面に沿って開閉移動させるものであったが、本発明においては、障子を開口枠の見込み方向に沿って開閉移動させることができれば、その他の障子の開閉移動方向については特に限定されるものではない。例えば、障子が換気位置に位置する場合に、一方の縦框が開口枠から離隔するよう他方の縦框の長手方向に沿った中心軸を中心として開閉移動するものであっても良い。
【００９４】
上述した実施の形態では、開口枠１０の開口１０ａを閉塞する障子２０を室外側に開移動させるものであったが、本発明においては、開口枠の開口を閉塞する障子を室内側に開移動させるものであっても良い。
【００９５】
上述した実施の形態では、障子２０が各枠部材の見込み方向の寸法内で開閉移動するものであったが、本発明においては、各枠部材の見込み方向の寸法内で開閉移動しなくても構わない。
【００９６】
上述した実施の形態では、換気口１１１ａ等は防虫網で覆われるものであったが、本発明においては、防虫網で覆われていなくてもよい。また、本発明においては、換気口は、防虫網で覆われるもの以外に、いわゆるパンチングメタルと称される金属製板状部材が設けられたものであってもよい。
【００９７】
上述した実施の形態では、規制板１３３が左縦枠１３の室外側端部１３１に設けられていたが、本発明においては、可動枠部１４ｂにおいて換気口１４３ｂと換気口１４３ｃとの間に配設されていてもよい。この場合、換気口１４３ｃから進入した空気が換気口１４３ｂに短絡的に通過すること、あるいは換気口１４３ｂから進入した空気が換気口１４３ｃに短絡的に通過することを規制することができる。また、本発明においては、規制板１３３の代わりに、一方の換気口から空気が進入する場合に他方の換気口を閉塞するような弁体を用いてもよく、一方の換気口から進入した空気が他方の換気口に短絡的に通過することができればその形態は特に限定されない。
【００９８】
上述した実施の形態では、可動枠部１４ｂの上部戸車１４２ａ及び下部摺動子１４２ｂが第２レール部の延在方向に沿って案内される被案内部材として説明したが、本発明においては、第２レール部に延在方向に沿って案内されるものであればその形態は特に限定されるものではない。
【符号の説明】
【００９９】
１  躯体
２  開口縁部
１０  開口枠
１０ａ  開口
１１  上枠
１１１ａ  換気口
１１３  上方取付支持部材
１１４  左側上枠レール
１１５  右側上枠レール
１２  下枠
１２１ａ  換気口
１２１ｂ  換気口
１２３  第１下枠レール
１２４  第２下枠レール
１２５  第３下枠レール
１３  左縦枠
１３１ａ  換気口
１３１ｂ  換気口
１３１ｃ  換気口
１３３  規制板
１４  右縦枠
１４ａ  固定枠部
１４ｂ  可動枠部
１４２ａ  上部戸車
１４２ｂ  下部摺動子
１４３ａ  換気口
１４３ｂ  換気口
１４３ｃ  換気口
１５  上側延設枠
１５１  上側延設レール
１６  カバー部材
１８  下側延設枠
１８１  下側延設レール
２０  障子
２１  上框
２１１  上部戸車
２２  下框
２２１  下部摺動子
２３  左縦框
２４  右縦框
３０  連係部材
３１  アーム
３２  アーム受け
【図１】
2015113624.tif 000003
【図２】
2015113624.tif 000004
【図３】
2015113624.tif 000005
【図４】
2015113624.tif 000006
【図５】
2015113624.tif 000007
【図６】
2015113624.tif 000008
【図７】
2015113624.tif 000009
【図８】
2015113624.tif 000010
【図９】
2015113624.tif 000011
【図１０】
2015113624.tif 000012
【図１１】
2015113624.tif 000013
【図１２】
2015113624.tif 000014
【図１３】
2015113624.tif 000015
【図１４】
2015113624.tif 000016